(57)【特許請求の範囲】
【請求項１】
つぎの事項（１）〜（12）により特定される合成樹脂フィルム製の袋。
（１）二枚重ねの合成樹脂フィルムの周囲がシールされて四角形の袋空間が区画されていること
（２）袋空間の上辺側を区画する溶着シール線は、その中央において途切れて右上辺シール線と左上辺シール線に分かれており、右上辺シール線の先端Ａと左上辺シール線の先端Ｂとは寸法Ｌだけ隔たっていること
（３）右上辺シール線の先端Ａには、溶着シール線により形成された、右外テーパー線、右内テーパー線、右補強縦線の各一端が接続していること
（４）左上辺シール線の先端Ｂには、溶着シール線により形成された、左外テーパー線、左内テーパー線、左補強縦線の各一端が接続していること
（５）右上辺シール線・右外テーパー線・右内テーパー線・右補強縦線のパターンと、左上辺シール線・左外テーパー線・左内テーパー線・左補強縦線のパターンは左右対称であること
（６）先端Ａに繋がる右外テーパー線と先端Ｂに繋がる左外テーパー線は前記フィルムの上縁部分まで延びており、左右の外テーパー線の間隔は、最下部が前記寸法Ｌであり、上方に向かって徐々に大きくなっていること
（７）先端Ａに繋がる右内テーパー線と先端Ｂに繋がる左内テーパー線は、右上辺シール線・左上辺シール線から寸法Ｍだけ隔たった下方まで延びており、左右の内テーパー線の間隔は、最上部が前記寸法Ｌであり、下方に向かって徐々に小さくなり最下部では寸法Ｎであること
（８）先端Ａに繋がる右補強縦線と先端Ｂに繋がる左補強縦線は、右上辺シール線・左上辺シール線からほぼ前記寸法Ｍ隔たった下方まで延びており、右内テーパー線と右補強縦線との間隔は下方に向かって徐々に広がり、同様に、左内テーパー線と左補強縦線との間隔は下方に向かって徐々に広がっていること
（９）右内テーパー線の下端と右補強縦線の下端は溶着シール線により形成された右補強横線の両端と接続されており、左内テーパー線の下端と左補強縦線の下端は溶着シール線により形成された左補強横線の両端と接続されていること
（10）右補強縦線と右補強横線との接続点には溶着シール線により形成された右突堤線の基端が接続されており、右突堤線の先端側は右補強横線のほぼ延長方向に延びていること
（11）左補強縦線と左補強横線との接続点には溶着シール線により形成された左突堤線の基端が接続されており、左突堤線の先端側は左補強横線のほぼ延長方向に延びていること
（12）左右の外テーパー線および内テーパー線の間隔部分を通水路とし、ここから注入された水により袋空間が膨らんだ際、当該通水路部分が左右から圧迫され、当該通水路部分の二枚重ねフィルムが密着状態で尾根状に褶曲して水を漏らさないこと
【請求項２】
請求項１において、左右の内テーパー線はその中間部分でくの字型にわずかに折れ曲がっており、この折れ曲がりにより左右の内テーパー線の間隔が直線の場合より大きくなっている袋。
【請求項３】
請求項１または請求項２において、前記寸法Ｌは前記寸法Ｎの約２倍である袋。
【請求項４】
請求項３において、前記寸法Ｍは前記寸法Ｌの１．２倍〜２倍である袋。
【請求項５】
請求項４において、左右の補強横線の長さ寸法は、前記寸法Ｌと前記寸法Ｎの間である袋。
【請求項６】
請求項５において、左右の突堤線は、その先端がその基端より上辺側に位置するように傾斜している袋。
【請求項７】
請求項１〜６のいずれかにおいて、左右の上辺シール線の上部であって左右の外テーパー線の外側部分の二枚重ねフィルムに持ち手となる穴が形成されている袋。
【請求項８】
請求項７において、二枚重ねフィルムの上縁直下であって左右の外テーパー線の外側部分に補強用の溶着シール線が形成されている袋。
【発明の詳細な説明】
【技術分野】
【０００１】
この発明は、二枚重ねの合成樹脂フィルムの周囲を溶着シールするだけで、他の部品をまったく用いることなく安価に製造することができる袋に関し、とくに、飲料水を注入して運搬したり保管するという用途に主眼をおいて開発した合成樹脂フィルム製の袋を提供するものである。
【背景技術】
【０００２】
たとえば、災害時に給水車などから供給される飲料水を各自で運搬するような状況を想定し、水を注入して運搬したり保管するのに適した合成樹脂フィルム製の袋が各種製品化されている。下記の文献にはそのような袋の具体的な構成が詳しく記載されている。
【０００３】
《文献１》  特開２００５−２８９４５２号公報  「液体用袋」
《文献２》  特開２００１−３１５８０１号公報  「注入口補助板」
《文献３》  実用新案登録第３１７９０１０号公報  「災害時応急受水用袋」
《文献４》  実用新案登録第３０２１５１６号公報  「飲料水袋」
【発明の開示】
【０００４】
上記のような用途にあわせた合成樹脂フィルム製の袋（ウォーターバッグとも記す）の従来のものはいずれも、水を注入したあとで注水口を塞ぐために、蓋や弁を用いた構成を採用している。そのために手数のかかる製造工程にならざるを得ず、蓋や弁などの部品コストに加えて製造コストも大きかった。
【０００５】
特許第４８８５３１５号公報には、出願人が先に開発した「逆止弁作用のある気道を形成した合成樹脂フィルム製の風船体」について詳細に開示されている。これは、二枚重ねの合成樹脂フィルムの周囲を溶着シールするだけで、他の多くの類似製品に見られるような弁部品を用いることなく安価に製造することができ、空気を注入して膨らませたり、排気してペチャンコにすることができる風船様の袋である。野球場で観客が用いる座布団などとして製品化されてる。
【０００６】
本願の発明者は、上記の特許製品と同様な原理で実用的なウォーターバッグを実現できれば、従来より格段に安上がりになると考え、上記特許技術を微調整しながら試作実験を繰り返し行ったところ、５〜１０リットルほどの大容量のウォーターバッグでは実用的な止水性能・封止性能を実現することができなかった。
【０００７】
発明者が目標としたのは、長方形の偏平な袋からなる１０リットル程度の容量のウォーターバッグであり、満水状態にした座布団のような袋を横に寝かしても一方の短辺に設けた注水口から漏水することがなく、満水の袋に数十キロ程度の荷重をかけても漏水も破損もしないことである。
【０００８】
上記の目標を達成すべく、上記特許技術の溶着シール線のパターンから離れて、あらたに１００種類以上のパターンを試作しては実験を繰り返した結果、以下に説明するこの発明を創作するに到った。
【０００９】
この発明の典型的な一実施例を図１〜図４に示しているが、この実施例に具現化された本発明の核心となる技術的思想とは、つぎの事項（１）〜（12）により特定される合成樹脂フィルム製の袋である。
【００１０】
（１）二枚重ねの合成樹脂フィルムの周囲がシールされて四角形の袋空間が区画されていること
（２）袋空間の上辺側を区画する溶着シール線は、その中央において途切れて右上辺シール線と左上辺シール線に分かれており、右上辺シール線の先端Ａと左上辺シール線の先端Ｂとは寸法Ｌだけ隔たっていること
（３）右上辺シール線の先端Ａには、溶着シール線により形成された、右外テーパー線、右内テーパー線、右補強縦線の各一端が接続していること
（４）左上辺シール線の先端Ｂには、溶着シール線により形成された、左外テーパー線、左内テーパー線、左補強縦線の各一端が接続していること
（５）右上辺シール線・右外テーパー線・右内テーパー線・右補強縦線のパターンと、左上辺シール線・左外テーパー線・左内テーパー線・左補強縦線のパターンは左右対称であること
（６）先端Ａに繋がる右外テーパー線と先端Ｂに繋がる左外テーパー線は前記フィルムの上縁部分まで延びており、左右の外テーパー線の間隔は、最下部が前記寸法Ｌであり、上方に向かって徐々に大きくなっていること
（７）先端Ａに繋がる右内テーパー線と先端Ｂに繋がる左内テーパー線は、右上辺シール線・左上辺シール線から寸法Ｍだけ隔たった下方まで延びており、左右の内テーパー線の間隔は、最上部が前記寸法Ｌであり、下方に向かって徐々に小さくなり最下部では寸法Ｎであること
（８）先端Ａに繋がる右補強縦線と先端Ｂに繋がる左補強縦線は、右上辺シール線・左上辺シール線からほぼ前記寸法Ｍ隔たった下方まで延びており、右内テーパー線と右補強縦線との間隔は下方に向かって徐々に広がり、同様に、左内テーパー線と左補強縦線との間隔は下方に向かって徐々に広がっていること
（９）右内テーパー線の下端と右補強縦線の下端は溶着シール線により形成された右補強横線の両端と接続されており、左内テーパー線の下端と左補強縦線の下端は溶着シール線により形成された左補強横線の両端と接続されていること
（10）右補強縦線と右補強横線との接続点には溶着シール線により形成された右突堤線の基端が接続されており、右突堤線の先端側は右補強横線のほぼ延長方向に延びていること
（11）左補強縦線と左補強横線との接続点には溶着シール線により形成された左突堤線の基端が接続されており、左突堤線の先端側は左補強横線のほぼ延長方向に延びていること
（12）左右の外テーパー線および内テーパー線の間隔部分を通水路とし、ここから注入された水により袋空間が膨らんだ際、当該通水路部分が左右から圧迫され、当該通水路部分の二枚重ねフィルムが密着状態で尾根状に褶曲して水を漏らさないこと
【図面の簡単な説明】
【００１１】
【図１】水の入っていない袋の平面図
【図２】同上袋の上辺の通水路部分の拡大図
【図３】同上袋に水を入れた状態の写真
【図４】同上満水袋の通水路部分のクローズアップ
【実施例】
【００１２】
図１はこの発明に係る約１０リットル容量の袋（ウォーターバッグ）を示し、実物の寸法を付記している。図２はこの袋の核心をなす上辺部分の拡大図である。この袋の素材は厚さ２００μｍのポリエチレンフィルムである。長方形の二枚重ねフィルムは筒状のインフレーション成形品であり、二枚重ねフィルムの右辺と左辺はもともと一体に繋がっている。二枚重ねフィルムの下辺部分は溶着形成された図１に示す下辺シール線１により水密に一体化されている。二枚重ねフィルムの上辺部分には、この発明の核心をなす特殊パターンの溶着シール線が形成されている。以下このパターンについて詳述する。
【００１３】
＝＝＝上辺部分の溶着シール線のパターン＝＝＝
袋空間の上辺側を区画する溶着シール線は、その中央において途切れて右上辺シール線２と左上辺シール線３に分かれており、右上辺シール線２の先端Ａと左上辺シール線３の先端Ｂとは寸法Ｌ＝５０ｍｍだけ隔たっている。
【００１４】
右上辺シール線２の先端Ａには、溶着シール線により形成された、右外テーパー線４、右内テーパー線５、右補強縦線６の各一端が接続している。また、左上辺シール線３の先端Ｂには、溶着シール線により形成された、左外テーパー線７、左内テーパー線８、左補強縦線９の各一端が接続している。
【００１５】
図１および図２から明らかなように、右上辺シール線２・右外テーパー線４・右内テーパー線５・右補強縦線６を含む右側のパターンと、左上辺シール線３・左外テーパー線７・左内テーパー線８・左補強縦線９を含む左側のパターンは左右対称になっている。
【００１６】
先端Ａに繋がる右外テーパー線４と先端Ｂに繋がる左外テーパー線７は前記フィルムの上縁部分まで延びており、左右の外テーパー線４と７の間隔は、最下部が前記寸法Ｌであり、上方に向かって徐々に大きくなっている。
【００１７】
先端Ａに繋がる右内テーパー線５と先端Ｂに繋がる左内テーパー線８は、右上辺シール線２・左上辺シール線３から寸法Ｍ＝８０ｍｍだけ隔たった下方まで延びており、左右の内テーパー線５と８の間隔は、最上部が前記寸法Ｌであり、下方に向かって徐々に小さくなり最下部では寸法Ｎ＝２３ｍｍである。
【００１８】
先端Ａに繋がる右補強縦線６と先端Ｂに繋がる左補強縦線９は、右上辺シール線２・左上辺シール線３から前記寸法Ｍだけ隔たった下方まで延びており、右内テーパー線５と右補強縦線６との間隔は下方に向かって徐々に広がり（下端の間隔は４１．５ｍｍ）、同様に、左内テーパー線８と左補強縦線９との間隔は下方に向かって徐々に広がっている（下端の間隔は４１．５ｍｍ）。
【００１９】
右内テーパー線５の下端と右補強縦線６の下端は溶着シール線により形成された右補強横線１０の両端と接続されており、左内テーパー線８の下端と左補強縦線９の下端は溶着シール線により形成された左補強横線１１の両端と接続されている。
【００２０】
左右の内テーパー線５・８はその中間部分でくの字型にわずかに折れ曲がっており、この折れ曲がりにより左右の内テーパー線５と８の間隔がこれらが直線である場合より大きくなっており、ちょうど中間の折れ曲がり点での左右の間隔は４０ｍｍである。
【００２１】
上記した折れ曲がりを無視すると、右側の内テーパー線５と補強縦線６と補強横線１０は、底辺４１．５ｍｍで高さ８０ｍｍの三角形の閉じた領域Ｃを形成しており、この三角領域Ｃの二枚重ねフィルム間には水や空気が出入りすることはなく、二枚重ねフィルムは密着した状態に保たれる。左右対称パターンの補強横線１１により、左側にも同様な閉じた三角領域Ｄが形成されている。
【００２２】
右補強縦線６と右補強横線１０の接続点には溶着シール線により形成された４５ｍｍほどの右突堤線１２の基端が接続されており、右突堤線１２の先端側は右補強横線１０のほぼ延長方向ですこし上向きに傾斜して延び、右突堤線１２の先端と右上辺シール線２の間隔は６５ｍｍになっている。左右対称パターンにより、左側にも同様な左突堤線１３が形成されている。
【００２３】
また、左右の上辺シール線２・３の上部であって左右の外テーパー線４・７の外側部分の二枚重ねフィルムに持ち手となる、左右２個ずつ合計４個の丸穴１４が形成されている。この丸穴１４の周囲には補強用の円形の溶着シール線１５が形成されている。さらに、二枚重ねフィルムの上縁直下であって左右の外テーパー線４・７の外側部分に補強用の溶着シール線１６が形成されている。この４個の丸穴１４による作用効果はあとで説明する。なお以上の溶着シール線の線幅は約３ｍｍである。
【００２４】
＝＝＝袋に水を入れる＝＝＝
以上の説明から明らかなように、二枚重ねフィルムによる袋空間は、左右の外テーパー線４と７の間隔部分および内テーパー線５と８の間隔部分を通じてのみ外気と繋がる構成になっている。この間隔部分を通水路と呼ぶことにする。
【００２５】
袋に水を入れるには水道や給水車の蛇口に繋がれた給水ホースを用いる。給水ホースの径は、左右の内テーパー線５と８の下端部分の二枚重ねフィルムにより形成される円形に合致する寸法がよい。通水路の上縁の二枚重ねフィルムを手指を使って引き剥がし、その間に給水ホースを差し込み、内テーパー線５と８の下端部分に到達させる。
【００２６】
その状態で給水ホースに水を送り込むと袋空間の内部に水が入り、袋空間を形成している二枚重ねフィルムが剥がれて間隔が広がり、水を充填した袋空間が膨らんでくる。この実施例の袋には約１０リットルの水が入る。袋空間がほぼ満水になったならば、給水ホースを通水路から抜きとる。そうすると、以下に詳述するように、通水路部分が左右から圧迫され、通水路部分の二枚重ねフィルムが密着状態で尾根状に褶曲して水を漏らすことがない。
【００２７】
＝＝＝水は漏れない＝＝＝
図３の写真は、図１の袋に約１０リットルの水を入れ、水平な台の上にこの満水袋を横にして置いた状態を撮影したものである。図４の写真は、図３の状態の満水袋の前記通水路周辺をクローズアップ撮影したものである。
【００２８】
２つの写真からわかるように、通水路部分は、二枚重ねフィルムが密着している左右の前記三角領域ＣおよびＤと、その外側に存在する水で膨らんだ領域によって左右から圧迫され、とくに、三角領域Ｃ・Ｄの頂点であり上辺シール線２・３の先端であるＡ点およびＢ点により局部的な大きな圧迫力がかかるとともに、その圧迫力が通水路の奧に向けて徐々に弱まる状態がつくり出される。
【００２９】
上記のように生じる圧迫力により、通水路の二枚重ねフィルムは密着した状態で尾根状に褶曲する。この褶曲は自然な滑らかな曲面ではあるが、両側の斜面が急峻なヤセ尾根との表現が相応しい曲面を形成する（反対側からみればＵ字状渓谷との表現が相応しいことになる）。
【００３０】
通水路が上記のように褶曲した状態で満水袋を写真のように横置きしても、まったく水は漏れなかった。そればかりでなく、この１０リットル容量の横置きした満水袋の上に２００キロ以上の荷重をかけたまま数日間放置しておいても、まったく水は漏れなかった。このような性能を実現できるまで十数ヶ月かけ、１００種類以上の溶着シール線パターンの袋を試作しては実証試験を行い、この発明を完成することができた。
【００３１】
＝＝＝左右の突堤線１２・１３の作用＝＝＝
この発明のウォーターバッグの開発にあたり目標としたことのひとつは、満水袋を手提げしている状態から床に落としても、袋が壊れないことである。突堤線１２・１３を設けていない試作品では、落下時の衝撃によりＡ点やＢ点の近くでシール線が破断して満水袋が破裂することが少なくなかった。突堤線１２・１３は、落下時の袋下部からの衝撃的な水圧がＡ点やＢ点に作用するのを緩和するのに役立っているものと考えられ、これを設けることにより落下時の破裂が格段に少なくなった。
【００３２】
＝＝＝持ち手となる丸穴１４＝＝＝
図１に示すように、水の入っていない状態では、左右の内側の丸穴１４の間隔は１２０ｍｍあるが、袋を満水状態にすると丸穴間の通水路部分が上記のように褶曲するので、丸穴間の間隔は３０ｍｍほどに狭まり、片手の親指以外の四本指を４個の丸穴１４に通して満水袋を持ち運ぶのにちょうどよくなる。なお、袋の最上部の溶着シール線１６は、丸穴１４に指を通して手提げする際の補強の役割を担っている。
【００３３】
＝＝＝袋から水を取り出す＝＝＝
たとえば、満水袋を図３のように机上に横置きし、上記のように褶曲している通水路の二枚重ねフィルムの外縁を手指を使って引き剥がし、給水時に用いたものと同様なホースをフィルム間に差し込み、その先端を通水路の奧まで到達させると、水はホースを通って袋から排出される。
【００３４】
＝＝＝他の実施態様＝＝＝
（１）手提げという用途を考えなければ、丸穴１４や最上部の溶着シール線１６はなくてもよい。
（２）実施例において内テーパー線５・８の中間部をくの字にわずかに折り曲げているのは、通水路部分にシワ等のない自然な滑らかな褶曲をつくり出すための微調整の結果であり、必須ではない。
（３）外テーパー線４・７や内テーパー線５・８や補強縦線６・９や補強横線１０・１１や突堤線１２・１３の形態は、この発明の趣旨を逸脱しない範囲で図示した実施例とは相違してもよい。
（４）袋空間を形成する二枚重ねフィルムの左辺と右辺の一方または両方が溶着シール線により一体化されていてもよい。袋空間の形成する二枚重ねフィルムの下辺がフィルム製作時から一体になっていてもよい。袋の下辺部および側辺部がガゼット構造になっていてもよい。
【符号の説明】
【００３５】
２と３…上辺シール線、４と７…外テーパー線、５と８…内テーパー線、６と９…補強縦線、１０と１１…補強横線、１２と１３…突堤線、１４…丸穴
【要約】
【課題】  長方形の偏平な袋からなる１０リットル程度の容量のウォーターバッグであり、満水状態にした座布団のような袋を横に寝かしても一方の短辺に設けた注水口から漏水することがない袋を実現する。
【解決課題】  右側の内テーパー線５と補強縦線６と補強横線１０は、底辺４１．５ｍｍで高さ８０ｍｍの三角形の閉じた領域Ｃを形成しており、この三角領域Ｃの二枚重ねフィルム間には水や空気が出入りすることはなく、二枚重ねフィルムは密着した状態に保たれる。左右対称パターンにより、左側にも同様な三角領域Ｄが形成されている。外テーパー線４と７および内テーパー線５と８の間隔部分を通水路とし、ここから注入された水により袋空間が膨らんだ際、通水路部分が左右から圧迫され、通水路部分の二枚重ねフィルムが密着状態で尾根状に褶曲して水を漏らさない。
【選択図】  図２【図１】
0005499214.tif 000002
【図２】
0005499214.tif 000003
【図３】
0005499214.tif 000004
【図４】
0005499214.tif 000005